(57)【特許請求の範囲】
【請求項１】
カード基材と、
前記カード基材の所定領域にパール顔料を含むインキにより形成され、ある角度から見たときと、別の角度から見たときとで、異なる色を呈する色変化印刷層と、
前記色変化印刷層上の所定領域に形成され、ある角度から見ると、背景の色に馴染んで目立たず、別の角度から見ると、浮き出て見える所定の偽造判別パターンを表示する偽造判別表示層と、
を備える偽造防止カードであって、
前記色変化印刷層は、ある角度から見ると、ほぼ無色透明であり、下地の前記カード基材を目視することができ、別の角度から見ると、前記パール顔料の反射光の色に着色されて見え、
前記偽造判別表示層は、前記カード基材と同じ色であって、前記色変化印刷層が射出する前記パール顔料の反射光の色とは異なる色である
ことを特徴とする偽造防止カード。
【請求項２】
請求項１に記載の偽造防止カードにおいて、
前記カード基材は、白色である
ことを特徴とする偽造防止カード。
【請求項３】
請求項１又は請求項２に記載の偽造防止カードにおいて、
前記偽造判別表示層は、前記色変化印刷層上に前記偽造判別パターンの形状に形成され、
前記偽造判別パターンは、地紋パターンである
ことを特徴とする偽造防止カード。
【請求項４】
請求項１から請求項３までのいずれか１項に記載の偽造防止カードにおいて、
前記色変化印刷層は、前記カード基材の全面に形成されている
ことを特徴とする偽造防止カード。
【請求項５】
請求項１から請求項４までのいずれか１項に記載の偽造防止カードにおいて、
前記偽造判別表示層は、前記色変化印刷層の全面に形成されている
ことを特徴とする偽造防止カード。
【請求項６】
請求項１から請求項４までのいずれか１項に記載の偽造防止カードにおいて、
前記偽造判別表示層は、前記色変化印刷層の所定領域にのみ形成されている
ことを特徴とする偽造防止カード。
【請求項７】
請求項１から請求項６までのいずれか１項に記載の偽造防止カードにおいて、
前記偽造判別表示層の所定領域に形成され、カードを装飾する絵柄を表示する絵柄層をさらに備える
ことを特徴とする偽造防止カード。
【請求項８】
請求項１から請求項６までのいずれか１項に記載の偽造防止カードにおいて、
前記色変化印刷層の所定領域に形成され、カードを装飾する絵柄を表示する絵柄層をさらに備える
ことを特徴とする偽造防止カード。
【請求項９】
請求項７に記載の偽造防止カードにおいて、
前記絵柄層は、その表面が、前記偽造判別表示層の前記偽造判別パターンに応じた凹凸を有する
ことを特徴とする偽造防止カード。
【発明の詳細な説明】
【０００１】
【発明の属する技術分野】
本発明は、プリペイドカードやポイントカードなどへの使用に適した偽造防止カードに関するものである。
【０００２】
【従来の技術】
従来より、使用済みのカードの磁気データを改ざんして、真券として使用されることを防止するために、プリペイドカードには、様々な磁気データ改ざん防止策が施されている。
【０００３】
【発明が解決しようとする課題】
しかし、最近は、使用済みカードに手を加えて、未使用を装ったカードや、カラーコピー機等による偽造カードが、いわゆる金券ショップ等に持ち込まれて売却されるという問題が発生していた。
金券ショップには、磁気データによる真偽判別装置は無いため、このような偽造カードを判別することは、できなかった。
【０００４】
本発明の課題は、安価に製造できて、簡単に偽造判別可能な偽造防止カードを提供することである。
【０００５】
【課題を解決するための手段】
本発明は、以下のような解決手段により、前記課題を解決する。なお、理解を容易にするために、本発明の実施形態に対応する符号を付して説明するが、これに限定されるものではない。
前記課題を解決するために、請求項１の発明は、カード基材（１１）と、前記カード基材（１１）の所定領域にパール顔料を含むインキにより形成され、ある角度から見たときと、別の角度から見たときとで、異なる色を呈する色変化印刷層（１２）と、前記色変化印刷層（１２）上の所定領域に形成され、ある角度から見ると、背景の色に馴染んで目立たず、別の角度から見ると、浮き出て見える所定の偽造判別パターンを表示する偽造判別表示層（１３）とを備える偽造防止カードであって、前記色変化印刷層（１２）は、ある角度から見ると、ほぼ無色透明であり、下地の前記カード基材（１１）を目視することができ、別の角度から見ると、前記パール顔料の反射光の色に着色されて見え、前記偽造判別表示層（１３）は、前記カード基材（１１）と同じ色であって、前記色変化印刷層（１２）が射出する前記パール顔料の反射光の色とは異なる色であることを特徴とする偽造防止カードである。
【０００７】
請求項２の発明は、請求項１に記載の偽造防止カードにおいて、前記カード基材（１１）は、白色であることを特徴とする偽造防止カードである。
【０００８】
請求項３の発明は、請求項１又は請求項２に記載の偽造防止カードにおいて、前記偽造判別表示層（１３）は、前記色変化印刷層（１２）上に前記偽造判別パターンの形状に形成され、前記偽造判別パターンは、地紋パターンであることを特徴とする偽造防止カードである。
【０００９】
請求項４の発明は、請求項１から請求項３までのいずれか１項に記載の偽造防止カードにおいて、前記色変化印刷層（１２）は、前記カード基材（１１）の全面に形成されていることを特徴とする偽造防止カードである。
【００１０】
請求項５の発明は、請求項１から請求項４までのいずれか１項に記載の偽造防止カードにおいて、前記偽造判別表示層（１３）は、前記色変化印刷層（１２）の全面に形成されていることを特徴とする偽造防止カードである。
【００１１】
請求項６の発明は、請求項１から請求項４までのいずれか１項に記載の偽造防止カードにおいて、前記偽造判別表示層（１３）は、前記色変化印刷層（１２）の所定領域にのみ形成されていることを特徴とする偽造防止カードである。
【００１２】
請求項７の発明は、請求項１から請求項６までのいずれか１項に記載の偽造防止カードにおいて、前記偽造判別表示層（１３）の所定領域に形成され、カードを装飾する絵柄を表示する絵柄層（１４）をさらに備えることを特徴とする偽造防止カードである。
【００１３】
請求項８の発明は、請求項１から請求項６までのいずれか１項に記載の偽造防止カードにおいて、前記色変化印刷層（１２）の所定領域に形成され、カードを装飾する絵柄を表示する絵柄層（１４）をさらに備えることを特徴とする偽造防止カードである。
【００１４】
請求項９の発明は、請求項７に記載の偽造防止カードにおいて、前記絵柄層（１４）は、その表面が、前記偽造判別表示層（１３）の前記偽造判別パターンに応じた凹凸を有することを特徴とする偽造防止カードである。
【００１５】
【発明の実施の形態】
以下、図面等を参照して、本発明の実施の形態について、さらに詳しく説明する。
（実施形態）
図１は、本発明による偽造防止カードの一実施形態を示す図である。図中、（Ａ）は平面図、（Ｂ）は（Ａ）のＢ−Ｂ断面図、（Ｃ）は（Ａ）のＣ部拡大図である。
偽造防止カード１０は、カード基材１１と、色変化印刷層１２と、偽造判別表示層１３と、絵柄層１４と、保護層１５とを備える。
【００１６】
カード基材１１は、この偽造防止カード１０の担体となる基材である。カード基材１１は、その材料として、一般的に使用されるプラスチック材料（例えば、ポリエチレンテレフタレート（ＰＥＴ），ポリエチレン（ＰＥ），ポリプロピレン（ＰＰ），ポリビニルアルコール（ＰＶＡＬ），ポリ塩化ビニル（ＰＶＣ），ポリカーボネート（ＰＣ），アクリロニトリル・ブタジエン・スチレン共重合（ＡＢＳ），アクリロニトリル・スチレン共重合体（ＡＳ），ポリメチルメタクリレート（ＰＭＭＡ），セルロースアセテートブチレート（ＣＡＢ），セルロースプロピオネート（ＣＰ）など）又は紙（例えば、上質紙，アート紙，コート紙，合成紙など）等を好適に用いることができる。
カード基材１１は、その厚みを、用途に応じて、自由に選ぶことができる。
通常のプリペイドカードの場合は、１８８μｍ厚の白色のポリエチレンテレフタレート（ＰＥＴ）基材を使用している。
【００１７】
カード基材１１は、裏面に、磁気記録層１１ａを備える。この磁気記録層１１ａは、γ−Ｆｅ2 Ｏ3 ，Ｃｏ被着γ−Ｆｅ2 Ｏ3 ，Ｆｅ3 Ｏ4 ，Ｆｅ−Ｃｒ，Ｆｅ−Ｃｏ，Ｃｏ−Ｃｒ，Ｃｏ−Ｎｉ，Ｂａ−フェライト，Ｓｒ−フェライト，ＣｒＯ2 等の磁性材料を適当な樹脂又はインキビヒクル中に分散した分散物を、グラビア法、ロール法、ナイフエッジ法等の方法で塗布して、又は、Ｆｅ，Ｆｅ−Ｃｒ，Ｆｅ−Ｃｏ，Ｃｏ−Ｃｒ等の金属若しくは合金又はそれらの酸化物を用いて、真空蒸着法、スパッタ法、メッキ法等によって形成することができる。
【００１８】
色変化印刷層１２は、見る角度によって色が変化する顔料を含むインキで塗布された層であり、カード基材１１の全面に形成されている。色変化印刷層１２は、下地であるカード基材１１で反射した無色透明の光をある角度で射出する。そのため、色変化印刷層１２をその方向から見ると、カード基材１１の色に見える。また、色変化印刷層１２は、顔料で反射した光を別の角度で射出する。そのため、色変化印刷層１２をその方向から見ると、顔料が反射する色に着色されて見える。
【００１９】
このような色変化インキは、例えば、塩化ビニル−酢酸ビニル共重合体（ＥＶＡ）などの透明なビヒクル中に、高屈折率の酸化ケイ素、酸化チタン、酸化鉄などの層と、低屈折率のマイカ等の層を積層したパール顔料を分散させ、さらに、適宜、添加材を入れたものを使用することができる。添加材としては、インキの泡立ちによる塗布抜きを防止する消泡剤や、インキを硬化させて、剥離、傷付き等を防止する硬化剤などがある。この消泡剤としては、アクリル系のものが好適であり、硬化剤としては、イソシアネート系のものが好適である。
パール顔料の具体例を挙げると、資生堂製の商品名；インフィニットカラーや、メルク社（独国）製の商品名；イリオジンなどがある。
色変化印刷層１２は、そのような色変化インキをグラビア印刷、コーティング又は孔版印刷などで印刷するとよい。色変化印刷層１２が厚くなるので、色変化効果が大きくなるからである。
本実施形態では、色変化印刷層１２の厚さは、３〜６μｍ程度である。
【００２０】
偽造判別表示層１３は、カード基材１１とほぼ同じ色の網点、砂目、彩紋や会社のロゴマークなどをデザインした地紋パターンを表示する層であり、色変化印刷層１２に設けられている（図Ｃ参照）。偽造判別表示層１３は、オフセット印刷で形成する。
本実施形態では、カード基材１１はＰＥＴ基材であり、白色であるので、偽造判別表示層１３も、白インキを使用して白地紋が形成されている。
偽造判別表示層１３は、ある角度から見ると、色変化印刷層１２が射出する基材反射光に馴染んでしまって、見分けることができないが、別の角度から見ると、色変化印刷層１２が射出する顔料反射光と異なる色のため、浮き出して見える。
なお、偽造判別表示層１３は、上述の通り、オフセット印刷で形成されており、その厚さは、１〜２μｍ程度である。
【００２１】
絵柄層１４は、この偽造防止カード１０を装飾する絵柄を表示する層であり、偽造判別表示層１３に形成されている。絵柄層１４は、オフセット印刷で形成し、その厚さは、１〜２μｍ程度である。このように、絵柄層１４は、極薄であるので、下地の偽造判別表示層１３の地紋の凹凸によって、絵柄層１４にも目を凝らして見ると分かる程度の凹凸がつく（図Ｃ参照）。特に、傾けて見たときに、その凹凸が分かりやすく、真偽判別をすることが可能である。
【００２２】
保護層１５は、機械搬送による傷付きや、印刷汚れを防止して、耐久性を向上させる層であり、カード全面に形成されている。保護層１５を形成するインキ成分は、アクリレートであり、オフセット印刷で形成する。保護層１５の厚さは、１〜２μｍ程度である。
【００２３】
図２は、本発明による偽造防止カードの実施形態にかかる色変化印刷層を示す図である。
色変化印刷層１２は、透明な媒体１２ｂ中に高屈折率層と低屈折率層を積層した顔料１２ａを分散した色変化インキによって、形成されている。
入射光は、図２（Ａ）に示すように、顔料１２ａによって反射して、第１の角度α方向に出射するとともに、顔料１２ａを高屈折率で透過したのちに、カード基材１１の表面で反射して、第２の角度β方向に出射する。
【００２４】
このときに、顔料１２ａの反射光と透過光の関係は、図２（Ｂ）に示すように、その顔料１２ａの厚さによって、可視光線の波長のいずれかが干渉して、以下のような組み合わせとなる。
【００２５】
0004417479.tif 000002
【００２６】
したがって、例えば、色変化印刷層１２は、第１の角度αで銀色に見えた場合には、第２の角度βでは透明（すなわち、カード基材１１の色）に見えることになる。
このように、色変化印刷層１２は、含んでいる顔料によって、様々な色を選択することができる。
本実施形態では、上記表１中の（１）の顔料を使用しており、ある角度から見ると、カード基材１１の反射光（白色）が見えるため、白色地紋の偽造判別表示層１３が馴染んでしまって見分けがつかないが、別の角度から見ると、顔料の反射光が見えるため、白色地紋の偽造判別表示層１３が浮き出して見える。
【００２７】
本実施形態によれば、色変化印刷層１２の色変化により、偽造判別表示層１３の地紋パターンを容易に見分けることができたり、できなかったりするので、簡単に偽造品の判別をすることができる。すなわち、万一、カラーコピー機などにより、外観を複写されても、色変化効果はでないので、偽造が困難であるとともに、特別な判別装置を用いることなく偽造品を判別することができる。
【００２８】
また、カード基材１１に白色のＰＥＴ基材を使用して、偽造判別表示層１３も白地紋で形成しているのでカードデザインに与える影響が少なく、見た目がよい。
【００２９】
さらに、色変化印刷層１２及び偽造判別表示層１３は、カード基材１１の全面に形成されているので、汎用性があり、大量生産性に優れる。
【００３０】
さらにまた、色変化印刷層１２は、パール顔料を含むインキで形成されているので、顔料の厚さによって、容易に色を選択することができる。
【００３１】
また、絵柄層１４は、偽造判別表示層１３上に極薄で形成されているので、目を凝らして見ると、偽造判別表示層１３の地紋の凹凸を確認することができるため、真偽判別可能である。この凹凸は、絵柄層１４の下に形成されているので、偽造することはできない。
【００３２】
（変形形態）
以上説明した実施形態に限定されることなく、種々の変形や変更が可能であって、それらも本発明の均等の範囲内である。
例えば、カード基材１１自体を白以外の色に着色しておいてもよい。その場合は、偽造判別表示層１３も同様の色にすることで、同様の効果が得られる。色変化印刷層１２の顔料選択によって、カード基材１１が着色されて見えるときも同様である。
また、色変化印刷層１２は、コレステリック液晶顔料や、ＯＶＩ顔料を含むインキで形成しても、同様の効果を得ることができる。
さらに、色変化印刷層１２、偽造判別表示層１３は、必要領域にのみ限定して、設けてもよい。特に、絵柄層１４の下地に設けないようにすれば、絵柄層１４に与える影響をなくすことができ、デザイナーが望んだ通りの絵柄そのものを表示させることができる。
さらにまた、偽造判別表示層１３の偽造判別パターンは、地紋パターンに限られず、他の図案等のパターンであっても同様の効果が得られる。
なお、保護層１５は、傷付き、印刷汚れ等を防止する層であり、必要に応じて、設けても、設けなくてもよい。
【００３３】
【発明の効果】
以上詳しく説明したように、本発明によれば、見る角度によって異なる色を呈する色変化印刷層と、ある角度から見ると、その色変化印刷層に馴染んで目立たず、別の角度から傾けて見ると、浮き出て見える所定の偽造判別パターンを表示する偽造判別表示層とを備えるので、簡単に偽造品を判別することができるとともに、偽造することが困難である。
【００３４】
本発明によれば、色変化印刷層は、ある角度から見ると、ほぼ無色透明であり、下地のカード基材を目視することができるので、一見しただけでは、偽造防止策が施されていることが分からない。
【００３５】
本発明によれば、色変化印刷層は、ある角度から見ると、ほぼ無色透明であり、下地のカード基材が、白色であるので、カードデザインに与える影響が少なく、見た目がよい。
【００３６】
本発明によれば、偽造判別パターンは、地紋パターンであるので、パターンを見ただけで他の製品と容易に区別することができる。
【００３７】
本発明によれば、色変化印刷層は、カード基材の全面に形成されているので、汎用性があり、大量生産性に優れ、量産効果による原価低減を図ることができる。
【００３８】
本発明によれば、偽造判別表示層は、色変化印刷層の全面に形成されているので、汎用性があり、大量生産性に優れ、量産効果による原価低減を図ることができる。
【００３９】
本発明によれば、偽造判別表示層は、色変化印刷層の所定領域にのみ形成されているので、デザインの自由度が広がる。
【００４０】
本発明によれば、絵柄層は、偽造判別表示層の所定領域に形成されているので、目を凝らして見ると、偽造判別表示層の地紋の凹凸を確認可能であり、真偽判別することができる。この凹凸は、絵柄層の下に形成されているので、偽造することはできない。
【００４１】
本発明によれば、絵柄層は、色変化印刷層の所定領域に形成されているので、偽造判別表示層の地紋の凹凸に影響されない。
【００４２】
本発明によれば、色変化印刷層は、パール顔料を含むインキで形成されているので、顔料の厚さによって、容易に色を選択することができる。
【図面の簡単な説明】
【図１】本発明による偽造防止カードの一実施形態を示す図である。
【図２】本発明による偽造防止カードの実施形態にかかる色変化印刷層を示す図である。
【符号の説明】
１０  偽造防止カード
１１  カード基材
１１ａ  磁気記録層
１２  色変化印刷層
１２ａ  顔料
１２ｂ  透明媒体
１３  偽造判別表示層
１４  絵柄層
１５  保護層
【図１】
0004417479.tif 000003
【図２】
0004417479.tif 000004